(57)【特許請求の範囲】
【請求項１】
一方の基板の端部に取り付けられる雄側コネクタと、他方の基板の端部に取り付けられる雌側コネクタとを備え、雄側コネクタと雌側コネクタとを嵌合することにより基板同士を接続するコネクタにおいて、
前記雄側コネクタのコネクタ本体に保持され、板厚方向がコネクタ本体の幅方向となるように形成された接触部を有する雄側端子と、
雌側コネクタのコネクタ本体に保持され、コネクタ本体の幅方向に対向する一対の接触部を有する二股状の雌側端子とを備え、
雄側端子及び雌側端子を、雌側端子の各接触部によって雄側端子の接触部を挟持することにより、互いに接触状態で摺動可能に形成するとともに、互いに接点を中心に接触状態で回動可能に形成し、
雌側コネクタのコネクタ本体には、雄側端子が挿入される挿入口をコネクタ本体の前面及び上面に亘るように形成した
ことを特徴とするコネクタ。
【請求項２】
前記挿入口をコネクタ本体の前面から上面に亘って長孔状に開口するように形成した
ことを特徴とする請求項１記載のコネクタ。
【請求項３】
前記雌側端子に二股状をなす幅方向一対の弾性片部を設けるとともに、各弾性片部の先端部に互いに対向する一対の接触部を設け、各接触部の対向縁部を曲面状の面取り部によって形成した
ことを特徴とする請求項１または２記載のコネクタ。
【請求項４】
前記雄側コネクタ及び雌側コネクタに、雄側端子及び雌側端子の接触状態での摺動及び回動を許容可能に係合する着脱自在な係合部を設け、
係合部を、雄側端子及び雌側端子の摺動を所定距離に規制可能に形成した
ことを特徴とする請求項１、２または３記載のコネクタ。
【請求項５】
前記雄側コネクタのコネクタ本体に設けられ、雌側コネクタ側に延出する延出部と、
雌側コネクタのコネクタ本体に設けられ、雄側コネクタの延出部を受容する凹部とを備え、
前記係合部を延出部及び凹部にそれぞれ設けた
ことを特徴とする請求項４記載のコネクタ。
【請求項６】
前記雄側コネクタ及び雌側コネクタが互いに所定位置まで嵌合された状態で雄側端子及び雌側端子の回動を規制する回動規制部を備えた
ことを特徴とする請求項１、２、３、４または５記載のコネクタ。
【発明の詳細な説明】
【技術分野】
【０００１】
本発明は、例えばＬＥＤ用基板の端部に取り付けられ、基板同士を接続するためのコネクタに関するものである。
【背景技術】
【０００２】
従来、複数の基板を互いに電子部品等の実装面が同一平面をなすように配置して接続する場合には、各基板の両端にそれぞれ雄側コネクタと雌側コネクタを取り付け、各基板の雄側コネクタと雌側コネクタとを嵌合することにより、基板同士を接続するようにしたものが知られている（例えば、特許文献１参照）。
【先行技術文献】
【特許文献】
【０００３】
【特許文献１】実用新案登録第３０９２６１０号公報
【発明の概要】
【発明が解決しようとする課題】
【０００４】
ところで、前記基板に発熱性の電子部品を実装したり、或いは基板の周囲が高温になる機器に基板を搭載する場合には、基板が熱膨張や熱収縮を生ずる。また、基板を粘着テープや接触によって取付対象面に取り付ける場合には、基板の位置ずれを生ずることがある。しかしながら、コネクタによって基板同士を接続した状態では、雄側コネクタ及び雌側コネクタが相対的に移動不能に嵌合しているため、基板の熱膨張、熱収縮または位置ずれを吸収することができず、熱膨張による基板の変形やコネクタの破損、熱収縮または位置ずれによる接続不良を生ずるおそれがあった。
【０００５】
また、従来のコネクタでは、雄側コネクタと雌側コネクタとの着脱を常に基板同士を互いに水平にした状態でなければ行うことができないため、例えば一方の基板が取付対象面に固定された状態で他方の基板を接続する場合など、他方の基板を一方の基板に対して斜めにしてコネクタを嵌合すれば接続作業が容易になる場合でも、このようなコネクタの斜め嵌合はできないため、接続作業に苦労するという問題点があった。
【０００６】
本発明は前記問題点に鑑みてなされたものであり、その目的とするところは、基板の熱膨張、熱収縮または位置ずれを吸収することができるとともに、雄側及び雌側コネクタを互いに斜めに嵌合することのできるコネクタを提供することにある。
【課題を解決するための手段】
【０００７】
本発明は前記目的を達成するために、一方の基板の端部に取り付けられる雄側コネクタと、他方の基板の端部に取り付けられる雌側コネクタとを備え、雄側コネクタと雌側コネクタとを嵌合することにより基板同士を接続するコネクタにおいて、前記雄側コネクタのコネクタ本体に保持され、板厚方向がコネクタ本体の幅方向となるように形成された接触部を有する雄側端子と、雌側コネクタのコネクタ本体に保持され、コネクタ本体の幅方向に対向する一対の接触部を有する二股状の雌側端子とを備え、雄側端子及び雌側端子を、雌側端子の各接触部によって雄側端子の接触部を挟持することにより、互いに接触状態で摺動可能に形成するとともに、互いに接点を中心に接触状態で回動可能に形成し、雌側コネクタのコネクタ本体には、雄側端子が挿入される挿入口をコネクタ本体の前面及び上面に亘るように形成している。
【０００８】
これにより、雄側端子及び雌側端子が互いに接触状態で摺動可能に形成されていることから、基板の熱膨張、熱収縮または位置ずれを雄側端子及び雌側端子の摺動によって吸収することが可能となる。また、雄側端子及び雌側端子が互いに接点を中心に接触状態で回動可能に形成されていることから、雄側端子と雌側端子とを任意の回動位置で着脱することが可能となる。
【発明の効果】
【０００９】
本発明によれば、基板の熱膨張、熱収縮または位置ずれを雄側端子及び雌側端子の摺動によって吸収することができるので、熱膨張による基板の変形やコネクタの破損を防止することができるとともに、基板の熱収縮または位置ずれによる接続不良を防止することもできる。また、雄側端子と雌側端子とを任意の回動位置で着脱することができるので、雄側コネクタと雌側コネクタとを互いに斜めに嵌合することができる。これにより、例えば一方の基板が取付対象面に固定されている状態で他方の基板を接続する場合など、他方の基板を一方の基板に対して斜めにして雄側及び雌側コネクタを嵌合することができ、各基板の接続作業を容易に行うことができる。
【図面の簡単な説明】
【００１０】
【図１】本発明の一実施形態を示す雄側コネクタの斜視図
【図２】雌側コネクタの斜視図
【図３】雄側コネクタの側面図
【図４】雌側コネクタの側面図
【図５】雄側コネクタの平面断面図
【図６】雌側コネクタの平面断面図
【図７】雌側端子の要部斜視図
【図８】雌側端子の要部正面図
【図９】基板の要部斜視図
【図１０】コネクタが取り付けられた基板の平面図
【図１１】コネクタで接続された基板の平面図
【図１２】雄側コネクタ及び雌側コネクタの嵌合工程を示す平面図
【図１３】雄側コネクタ及び雌側コネクタの嵌合工程を示す平面断面図
【図１４】雄側コネクタ及び雌側コネクタの嵌合工程を示す平面図
【図１５】雄側コネクタ及び雌側コネクタの嵌合工程を示す平面断面図
【図１６】雄側コネクタ及び雌側コネクタの嵌合工程を示す平面図
【図１７】雄側コネクタ及び雌側コネクタの嵌合工程を示す平面断面図
【図１８】雄側コネクタ及び雌側コネクタの嵌合工程を示すＡ−Ａ断面図
【図１９】雄側コネクタ及び雌側コネクタの嵌合工程を示すＡ−Ａ断面図
【図２０】雄側コネクタ及び雌側コネクタの嵌合工程を示すＡ−Ａ断面図
【図２１】雄側コネクタ及び雌側コネクタの嵌合工程を示すＢ−Ｂ断面図
【図２２】雄側コネクタ及び雌側コネクタの嵌合工程を示すＢ−Ｂ断面図
【図２３】雄側コネクタ及び雌側コネクタの嵌合工程を示すＢ−Ｂ断面図
【図２４】雄側コネクタ及び雌側コネクタの斜め方向の嵌合工程を示すＡ−Ａ断面図
【図２５】雄側コネクタ及び雌側コネクタの斜め方向の嵌合工程を示すＡ−Ａ断面図
【図２６】雄側コネクタ及び雌側コネクタの斜め方向の嵌合工程を示すＢ−Ｂ断面図
【図２７】雄側コネクタ及び雌側コネクタの斜め方向の嵌合工程を示すＢ−Ｂ断面図
【図２８】本発明の他の実施形態を示す雄側コネクタの斜視図
【図２９】雌側コネクタの斜視図
【発明を実施するための形態】
【００１１】
図１乃至図２７は本発明の一実施形態を示すものである。同図に示すコネクタは、複数のＬＥＤ用の基板１を接続するためのものである。
【００１２】
基板１は、ＬＥＤ配列方向に長く延びる平板状に形成され、その厚さ方向一方の面には複数のＬＥＤ２が互いに基板１の長手方向に間隔をおいて実装されている。基板１の長手方向両端部には、金属面からなるコネクタ固定部１ａと、コネクタの端子が接続される端子接続部１ｂと、コネクタが係合する孔１ｃがそれぞれ幅方向一対ずつ設けられている。
【００１３】
本実施形態のコネクタは、隣り合う一対の基板１のうちの一方の基板１に取り付けられる雄側コネクタ１０と、他方の基板１に取り付けられる雌側コネクタ２０とを備え、雄側コネクタ１０及び雌側コネクタ２０を嵌合することにより各基板１同士を接続するようになっている。
【００１４】
雄側コネクタ１０は、合成樹脂の成型品からなるコネクタ本体１１と、コネクタ本体１１に保持された幅方向一対の雄側端子１２と、コネクタ本体１１に取り付けられた幅方向一対の固定部材１３とから構成されている。
【００１５】
コネクタ本体１１は、高さ寸法が幅寸法に比べて小さい扁平状に形成され、その上面は全体的に平面状をなすように形成されている。コネクタ本体１１は、前端面の幅方向両側から前方に延びる一対の延出部１１ａを有し、各延出部１１ａはコネクタ本体１１の両側面よりも幅方向内側寄りに設けられている。各延出部１１ａの基端側の上面はコネクタ本体１１の上面と同一平面をなすように形成され、その先端部１１ｂの上面は基端側の上面と段差をなすように基端側の上面よりも低く形成されている。また、各延出部１１ａの側面には雌側コネクタ２０に係合する係合孔１１ｃが設けられている。係合孔１１ｃは延出部１１ａの長手方向（前後方向）に延びる長孔からなり、延出部１１ａの両側面に貫通するように形成されている。また、各延出部１１ａの先端側の対向面には、先端に向かって幅方向内側から外側に広がる傾斜面１１ｄが設けられている。コネクタ本体１１の後端側には、基板１の孔１ｃに挿入される幅方向一対の突起１１ｅが設けられ、突起１１ｅはコネクタ本体１１の下面に突設されている。
【００１６】
各雄側端子１２は、板厚方向が雄側コネクタ１０の幅方向となるように形成された導電性の金属板からなり、互いに幅方向に間隔をおいて配置されている。各雄側端子１２の前端側はコネクタ本体１１の前端面から前方に突出するとともに、コネクタ本体１１の各延出部１１ａ間に配置されている。各雄側端子１２の前端側は雌側端子に接触する接触部１２ａを形成しており、接触部１２ａの先端側の上端は基端側の上端と段差をなすように基端側の上端よりも低く形成されている。各端子１２の後端側には基板１に接続される接続部１２ｂが設けられ、接続部１２ｂはコネクタ本体１１の背面から後方に突出している。
【００１７】
固定部材１３はＬ字状に屈曲した金属板からなり、コネクタ本体１１の幅方向両側に配置されている。固定部材１３は、その下端側に基板１のコネクタ固定部１ａに接合される接合部１３ａを有し、その上端側をコネクタ本体１１に圧入することにより、コネクタ本体１１に取り付けられている。
【００１８】
雌側コネクタ２０は、合成樹脂の成型品からなるコネクタ本体２１と、コネクタ本体２１に保持された幅方向一対の雌側端子２２と、コネクタ本体２１に取り付けられた幅方向一対の固定部材２３とから構成されている。
【００１９】
コネクタ本体２１は、高さ寸法が幅寸法に比べて小さい扁平状に形成され、その上面は全体的に平面状をなすように形成されている。コネクタ本体２１の前端面の幅方向両側には雄側コネクタ１０の各延出部１１ａをそれぞれ受容する一対の凹部２１ａが設けられ、各凹部２１ａはコネクタ本体２１の両側面よりも幅方向内側寄りに設けられている。各凹部２１ａの奥側には各延出部１１ａの先端部１１ｂを受容する回動規制部としてのロック孔２１ｂが設けられ、ロック孔２１ｂは凹部２１ａの奥側の上面を塞ぐように形成されている。各凹部２１ａ内の一側面（コネクタ本体２１の幅方向中央側の側面）には延出部１１ａの係合孔１１ｃに係合する突部２１ｃが設けられ、突部２１ｃは係合孔１１ｃ内を移動及び回動可能に形成されている。コネクタ本体２１には雄側端子１２が挿入される幅方向一対の挿入口２１ｄが設けられ、各挿入口２１ｄはコネクタ本体２１の前面から上面に亘って長孔状に開口するように形成されている。コネクタ本体２１の後端側には、基板１の孔１ｃに挿入される幅方向一対の突起２１ｅが設けられ、突起２１ｅはコネクタ本体２１の下面に突設されている。
【００２０】
各雌側端子２２は、先端側が二股状に形成された導電性の金属板からなり、互いに幅方向に間隔をおいて配置されている。各雌側端子２２の前端側には前後方向に延びる幅方向一対の弾性片部２２ａが設けられ、各弾性片部２２ａの先端部には雄側端子１２に接触する接触部２２ｂがそれぞれ設けられている。各接触部２２ｂは互いに対向する方向に突出しており、各弾性片部２２ａの弾性により雄側端子１２の接触部１２ａを挟持することにより、雄側端子１２と接点Ｐを中心に回動可能に接触するようになっている。各接触部２２ｂは、例えば絞り加工によって各弾性片部２２ａの幅方向内側の端縁から下方に延びるように形成され、その上端側の対向縁部は曲面状の面取り部２２ｃによって形成されている。各雌側端子２２はコネクタ本体２１内に配置され、挿入口２１ｄの前方または上方から挿入される雄側端子１２の接触部１２ａと接触するようになっている。また、各雌側端子２２の後端側には基板１に接続される接続部２２ｄが設けられ、接続部２２ｄはコネクタ本体２１の背面から後方に突出している。
【００２１】
固定部材２３はＬ字状に屈曲した金属板からなり、コネクタ本体２１の幅方向両側に配置されている。固定部材２３は、その下端側に基板１のコネクタ固定部１ａに接合される接合部２３ａを有し、その上端側をコネクタ本体２１に圧入することにより、コネクタ本体２１に取り付けられている。
【００２２】
以上のように構成されたコネクタにおいて、雄側コネクタ１０を一方の基板１に取り付ける場合は、基板１の各孔１ｃにコネクタ本体１１の突起１１ｅを挿入して位置合わせするとともに、各固定部材１３の接合部１３ａを基板１のコネクタ固定部１ａに半田付けによって接合し、各雄側端子１２の接続部１２ｂを基板１の端子接続部１ｂに半田付けによって接続する。これにより、雄側コネクタ１０が一方の基板１の端部に取り付けられる。その際、雄側コネクタ１０は、コネクタ本体１１の各延出部１１ａ及び各雄側端子１２の接触部１２ａのみが基板１の端縁から基板１の外側に突出するように取り付けられる。
【００２３】
また、雌側コネクタ２０を他方の基板１に取り付ける場合は、雄側コネクタ１０と同様、基板１の各孔１ｃにコネクタ本体２１の突起２１ｅを挿入して位置合わせするとともに、各固定部材２３の接合部２３ａを基板１のコネクタ固定部１ａに半田付けによって接合し、各雌側端子２２の接続部２２ｄを基板１の端子接続部１ｂに半田付けによって接続する。これにより、雌側コネクタ１０が他方の基板１の端部に取り付けられる。その際、雌側コネクタ２０は、コネクタ本体２１の前端面が基板１の端縁と同一位置になるように取り付けられる。
【００２４】
次に、各基板１を互いに接続する場合は、雄側コネクタ１０の各延出部１１ａと雌側コネクタ２０の各凹部２１ａとを嵌合することにより、各基板１の雄側コネクタ１０と雌側コネクタ２０とが接続される。その際、図１２乃至図２３に示すように各コネクタ１０，２０を水平に嵌合する場合は、雄側コネクタ１０の各延出部１１ａを雌側コネクタ２０の各凹部２１ａに挿入すると、各延出部１１ａの傾斜面１１ｄが各凹部２１ａの突部２１ｃに当接するとともに、各延出部１１ａがコネクタ本体１１の幅方向外側に向かって弾性変形しながら傾斜面１１ｄによって突部２１ｃを乗り越え、各延出部１１ａの係合孔１１ｃに突部２１ｃが係合する。その際、各雄側端子１２の接触部１２ａが雌側コネクタ２０の各挿入口２１ｄにコネクタ本体２１の前方から挿入され、雄側端子１２の接触部１２ａと雌側端子２２の接触部２２ｂとが互いに接触する。この場合、雄側端子１２と雌側端子２２とは各接触部１２ａ，２２ｂの接点Ｐで接触状態となっているが、各延出部１１ａを各凹部２１ａの奥に向かって更に移動すると、雄側端子１２が雌側端子２２に接点Ｐで接触しながら摺動し、係合孔１１ｃの長手方向一端に突部２１ｃが当接するまで雄側コネクタ１０と雌側コネクタ２０とが嵌合する。
【００２５】
前述のように各基板１をコネクタ１０，２０によって接続した状態では、雄側コネクタ１０を雌側コネクタ２０から離れる方向に移動すると、係合孔１１ｃの長手方向他端に突部２１ｃが当接して雄側コネクタ１０の移動が規制される。即ち、図１４及び図１５に示すように突部２１ｃが係合孔１１ｃ内を係合孔１１ｃの長手方向に移動可能な距離Ｌだけ雄側コネクタ１０と雌側コネクタ２０とが接続状態で相対的に挿抜方向に移動可能となる。これにより、雄側端子１２と雌側端子２２が互いに接触状態で距離Ｌだけ摺動することができる。
【００２６】
また、雄側端子１２及び雌側端子２２は互いに接点Ｐを中心に接触状態で回動することができるので、雄側端子１２と雌側端子２２を互いに任意の回動位置で着脱することができる。例えば、図２４乃至図２７に示すように雄側コネクタ１０を雌側コネクタ２０に対して斜めに嵌合する場合は、雄側コネクタ１０の各延出部１１ａを雌側コネクタ２０の各凹部２１ａに斜め上方から挿入すると、前述と同様、各延出部１１ａの傾斜面１１ｄが各凹部２１ａの突部２１ｃに当接するとともに、各延出部１１ａがコネクタ本体１１の幅方向外側に向かって弾性変形しながら傾斜面１１ｄによって突部２１ｃを乗り越え、各延出部１１ａの係合孔１１ｃに突部２１ｃが係合する。その際、各雄側端子１２の接触部１２ａが雌側コネクタ２０の各挿入口２１ｄにコネクタ本体２１の斜め上方から挿入され、雄側端子１２の接触部１２ａと雌側端子２２の接触部２２ｂとが互いに接触する。この場合、雄側端子１２と雌側端子２２とは各接触部１２ａ，２２ｂの接点Ｐで接触状態となっており、接点Ｐを中心に雄側コネクタ１０を下方に回動すると、雄側コネクタ１０と雌側コネクタ２０が互いに水平状態となる。ここで、前述と同様、図１９、図２０、図２２及び図２３に示すように各延出部１１ａを各凹部２１ａの奥に向かって移動すると、雄側端子１２が雌側端子２２に接点Ｐで接触しながら摺動し、係合孔１１ｃの長手方向一端に突部２１ｃが当接するまで雄側コネクタ１０と雌側コネクタ２０とが嵌合する。その際、各延出部１１ａの先端部１１ｂがロック孔２１ｂに受容され、先端部１１ｂの上下方向への移動がロック孔２１ｂによって規制されることから、雄側コネクタ１０と雌側コネクタ２０とが互いに水平状態でロックされる。
【００２７】
更に、雄側コネクタ１０と雌側コネクタ２０との接続を解除する場合は、雄側コネクタ１０を雌側コネクタ２０から引き離す方向に水平に移動すると、係合孔１１ｃの長手方向一端に突部２１ｃが当接するが、更に同方向に力を加えると、各延出部１１ａが幅方向外側に弾性変形し、係合孔１１ｃの縁部が突部２１ｃを乗り越える。これにより、雄側端子１２が雌側端子２２から引き抜かれ、雄側コネクタ１０と雌側コネクタ２０とが互いに分離する。
【００２８】
このように、本実施形態のコネクタによれば、雄側コネクタ１０の雄側端子１２と雌側コネクタ２０の雌側端子とを互いに接触状態で摺動可能に形成したので、各基板１の熱膨張、熱収縮または位置ずれを雄側端子１２及び雌側端子２２の摺動によって吸収することができ、熱膨張による基板１の変形やコネクタ１０，２０の破損を防止することができるとともに、基板１の熱収縮または位置ずれによる接続不良を防止することもできる。
【００２９】
また、雄側端子１２及び雌側端子２２を互いに接点Ｐを中心に接触状態で回動可能に形成したので、雄側端子１２と雌側端子２２を互いに任意の回動位置で着脱することができる。これにより、例えば一方の基板１が取付対象面に固定されている状態で他方の基板１を接続する場合など、他方の基板１を一方の基板１に対して斜めにして各コネクタ１０，２０を嵌合することが可能となり、各基板１の接続作業を容易に行うことができる。また、雄側コネクタ１０及び雌側コネクタ２０を互いに接続状態で斜めにすることができるので、基板１の取付対象面が傾斜している場合でも、取付対象面の傾斜に応じて各コネクタ１０，２０を斜めに嵌合することにより、傾斜した取付対象面での基板１の接続も可能となる。
【００３０】
また、平板状に形成した雄側端子１２を二股状に形成した雌側端子２２によって挟持することにより、雄側端子１２及び雌側端子２２が互いに摺動自在及び回動自在に接触するようにしたので、各端子１２，２２の摺動時及び回動時においても、雌側端子２２の挟持によって雄側端子１２との導通状態を確実に得ることができ、接続信頼性の向上を図ることができる。
【００３１】
この場合、雌側端子２２の各接触部２２ｂの対向縁部を曲面状の面取り部２２ｃによって形成したので、雄側コネクタ１０及び雌側コネクタ２０を斜めに嵌合する場合でも、雄側端子１２の接触部１２ａを各面取り部２２ｃによって雌側端子２２の各接触部２２ｂ間に円滑に案内することができ、斜め嵌合時における端子１２、２２の接続を容易に行うことができる。
【００３２】
また、雄側コネクタ１０のコネクタ本体１１及び雌側コネクタ２０のコネクタ本体２１に、互いに雄側端子１２及び雌側端子２２の摺動及び回動を許容可能に係合する着脱自在な係合部としての係合孔１１ｃ及び突部２１ｃを設け、係合孔１１ｃ及び突部２１ｃによって雄側端子１２及び雌側端子２２の摺動を接触状態で所定距離Ｌに規制するようにしたので、雄側端子１２及び雌側端子２２を摺動させても接触状態が容易に解除されることがなく、接続不良の防止に極めて効果的である。
【００３３】
更に、雄側コネクタ１０の各延出部１１ａに係合孔１１ｃを設けるとともに、雌側コネクタ２０の各凹部２１ａに突部２１ｃを設け、各凹部２１ａに各延出部１１ａを受容することにより、係合孔１１ｃに突部２１ｃが係合するようにしたので、各延出部１１ａを各凹部２１ａに挿入することにより容易に係合孔１１ｃと突部２１ｃとを係合することができるとともに、各延出部１１ａ及び各凹部２１ａによってコネクタ本体１１，２１同士を確実に嵌合することができ、接続状態における嵌合強度を十分に得ることができる。
【００３４】
この場合、各延出部１１ａを各凹部２１ａの奥まで挿入すると、各凹部２１ａのロック孔２１ｂに各延出部１１ａの先端部１１ｂが受容され、先端部１１ｂの上下方向への移動を回動規制部としてのロック孔２１ｂによって規制することにより、雄側コネクタ１０及び雌側コネクタ２０が互いに嵌合された状態で雄側端子１２及び雌側端子２２の回動が規制されるようにしたので、雄側コネクタ１０と雌側コネクタ２０とを互いに水平状態でロックすることができ、例えば取付前の各基板１を互いに水平状態に保持したい場合に極めて有利である。
【００３５】
尚、前記実施形態では、雄側コネクタ１０の雄側端子１２及び雌側コネクタ２０の雌側端子２２をそれぞれ２つずつ備えたものを示したが、各端子１２，２２の数は２つに限定されない。例えば、図２８及び図２９の他の実施形態に示すコネクタのように各端子１２，２２を６つずつ備えていてもよいし、或いは１ずつ備えているものであってもよい。
【００３６】
また、前記実施形態では、ＬＥＤ基板用のコネクタを示したが、本発明はＬＥＤ以外の基板用のコネクタにも適用することができる。
【符号の説明】
【００３７】
１…基板、２…ＬＥＤ、１０…雄側コネクタ、１１…コネクタ本体、１１ａ…延出部、１１ｃ…係合孔、１２…雄側端子、１２ａ…接触部、２０…雌側コネクタ、２１…コネクタ本体、２１ａ…凹部、２１ｂ…ロック孔、２１ｃ…突部、２２…雌側端子、２２ａ…弾性片部、２２ｂ…接触部、２２ｃ…面取り部。
【要約】
【課題】基板の熱膨張、熱収縮または位置ずれを吸収することができるとともに、雄側及び雌側コネクタを互いに斜めに嵌合することのできるコネクタを提供する。
【解決手段】雄側コネクタ１０の雄側端子１２と雌側コネクタ２０の雌側端子とを互いに接触状態で摺動可能に形成したので、各基板１の熱膨張、熱収縮または位置ずれを雄側端子１２及び雌側端子２２の摺動によって吸収することができる。また、雄側端子１２及び雌側端子２２を互いに接点Ｐを中心に接触状態で回動可能に形成したので、雄側端子１２と雌側端子２２を互いに任意の回動位置で着脱することができる。これにより、例えば一方の基板１が取付対象面に固定されている状態で他方の基板１を接続する場合など、他方の基板１を一方の基板１に対して斜めにして各コネクタ１０，２０を嵌合することが可能となり、各基板１の接続作業を容易に行うことができる。
【選択図】図１５【図１】
0004719305.tif 000002
【図２】
0004719305.tif 000003
【図３】
0004719305.tif 000004
【図４】
0004719305.tif 000005
【図５】
0004719305.tif 000006
【図６】
0004719305.tif 000007
【図７】
0004719305.tif 000008
【図８】
0004719305.tif 000009
【図９】
0004719305.tif 000010
【図１０】
0004719305.tif 000011
【図１１】
0004719305.tif 000012
【図１２】
0004719305.tif 000013
【図１３】
0004719305.tif 000014
【図１４】
0004719305.tif 000015
【図１５】
0004719305.tif 000016
【図１６】
0004719305.tif 000017
【図１７】
0004719305.tif 000018
【図１８】
0004719305.tif 000019
【図１９】
0004719305.tif 000020
【図２０】
0004719305.tif 000021
【図２１】
0004719305.tif 000022
【図２２】
0004719305.tif 000023
【図２３】
0004719305.tif 000024
【図２４】
0004719305.tif 000025
【図２５】
0004719305.tif 000026
【図２６】
0004719305.tif 000027
【図２７】
0004719305.tif 000028
【図２８】
0004719305.tif 000029
【図２９】
0004719305.tif 000030